(57)【要約】  本発明の周波数リソースでマルチキャリア信号を送信する方法は、前記周波数リソースは複数のリソースブロックに分割されており、前記リソースブロックは、サブキャリア間隔により等しく間隔があけられている複数のサブキャリアを含み、前記複数のサブキャリア又は前記サブキャリア間隔は、前記リソースブロック又は前記リソースブロックの連続したセットごとに設定可能であり、前記サブキャリア間隔ｆｎは、最小の設定可能なサブキャリア間隔ｆ０の２ｎ倍であり（ここで、ｎは負ではない整数）、前記サブキャリア間隔ｆｎの第１サブキャリアは、サブキャリア間隔ｆ０の第１サブキャリアに対してオフセット値だけずれており、前記オフセット値はｎに依存する、方法である。
2018531539.tif 000002
【特許請求の範囲】
【請求項１】
周波数リソースでマルチキャリア信号を送信する方法であって、
ａ）前記周波数リソースは複数のリソースブロックに分割されており、
ｂ）前記リソースブロックは、サブキャリア間隔により等しく間隔があけられている複数のサブキャリアを含み、
ｃ）前記複数のサブキャリア又は前記サブキャリア間隔は、前記リソースブロック又は前記リソースブロックの連続したセットごとに設定可能であり、
ｄ）前記サブキャリア間隔ｆｎは、最小の設定可能なサブキャリア間隔ｆ０の２ｎ倍であり（ここで、ｎは負ではない整数）、
ｅ）前記サブキャリア間隔ｆｎの第１サブキャリアは、サブキャリア間隔ｆ０の第１サブキャリアに対してオフセット値だけずれており、
ｆ）前記オフセット値はｎに依存する、方法。
【請求項２】
前記サブキャリア間隔ｆｎの前記オフセット値が、
ｆｎ／２（ｎ＞０の場合）、
（ｆｎ−ｆ０）／２、
（ｆｎ−ｆ０）／２（ｎ＞０の場合）かつｆ０／２（ｎ＝０の場合）、又は
ｆｎ／２−ｆ０（ｎ＞０の場合）
の内の一つである、請求項１記載の方法。
【請求項３】
サブキャリア間隔ｆｎのサブキャリア中心周波数とサブキャリア間隔ｆｎ＋１のサブキャリア中心周波数とは、ｆｎの整数倍だけずれている、請求項１記載の方法。
【請求項４】
前記サブキャリア間隔ｆｎの前記オフセット値は各ｎで設定可能である請求項１乃至３のいずれか記載の方法。
【請求項５】
前記サブキャリア間隔ｆｎの前記設定可能なオフセット値は、各ｎに対して予め決められた値のセットの中から選択される請求項４記載の方法。
【請求項６】
前記サブキャリア間隔ｆｎの前記設定可能なオフセット値は、準静的又は動的にネットワークからＵＥへシグナリングされる請求項４又は５記載の方法。
【請求項７】
ａ）各スロットにおける前記送信される信号は、ＮＲＢ×ＮＳＣＲＢ個のサブキャリア及びＮｓｙｍｂ個のシンボルの１又は複数のリソースグリッドで表現され（ここで、ＮＳＣＲＢはリソースブロックごとのサブキャリア数を表し、ＮＲＢはサブキャリア間隔ｆ０に対するリソースブロック数を表す）、
ｂ）前記リソースグリッドの各エレメントは、リソースエレメントと呼ばれ、インデックスペア（ｋ、ｌ）によってユニークに特定でき（ここで、ｋ＝０、・・・ＮＲＢ×ＮＳＣＲＢ−１及び、ｌ＝０、・・・Ｎｓｙｍｂ−１は、それぞれ周波数領域及び時間領域のインデックスを示す）、
ｃ）サブキャリア間隔ｆｎの各リソースエレメントはインデックスペア（ｋ’、ｌ）によってユニークに特定できる（ここで、前記リソースグリッドｋのインデックスｋ’は、ｋ＝２ｎｋ’＋ｇｎとして、ｎに依存するオフセット値ｇｎと共に定義される）、
請求項１乃至６のいずれかに記載の方法。
【請求項８】
前記サブキャリア間隔ｆｎの前記オフセット値は、
ｇｎ＝２ｎ−１（ｎ＞０）又は、
ｇｎ＝２ｎ−１−１（ｎ＞０）
のいずれかである請求項７記載の方法。
【請求項９】
周波数リソースでマルチキャリア信号を送信する装置であって、
ａ）前記周波数リソースは複数のリソースブロックに分割されており、
ｂ）前記リソースブロックは、サブキャリア間隔により等しく間隔があけられている複数のサブキャリアを含み、
ｃ）前記複数のサブキャリア又は前記サブキャリア間隔は、前記リソースブロック又は前記リソースブロックの連続したセットごとに設定可能であり、
ｄ）前記サブキャリア間隔ｆｎは、最小の設定可能なサブキャリア間隔ｆ０の２ｎ倍であり（ここで、ｎは負ではない整数）、
ｅ）前記サブキャリア間隔ｆｎの第１サブキャリアは、サブキャリア間隔ｆ０の第１サブキャリアに対してオフセット値だけずれており、
ｆ）前記オフセット値はｎに依存する、装置。
【請求項１０】
請求項２乃至８のいずれか記載の方法を実行するモジュールをさらに具備するマルチキャリア信号を送信する装置。
【請求項１１】
周波数リソースで送信されるマルチキャリア信号であって、
ａ）前記周波数リソースは複数のリソースブロックに分割されており、
ｂ）前記リソースブロックは、サブキャリア間隔により等しく間隔があけられている複数のサブキャリアを含み、
ｃ）前記複数のサブキャリア又は前記サブキャリア間隔は、前記リソースブロック又は前記リソースブロックの連続したセットごとに設定可能であり、
ｄ）前記サブキャリア間隔ｆｎは、最小の設定可能なサブキャリア間隔ｆ０の２ｎ倍であり（ここで、ｎは負ではない整数）、
ｅ）前記サブキャリア間隔ｆｎの第１サブキャリアは、サブキャリア間隔ｆ０の第１サブキャリアに対してオフセット値だけずれており、
ｆ）前記オフセット値はｎに依存する、マルチキャリア信号。
【発明の詳細な説明】
【技術分野】
【０００１】
本願発明はマルチキャリア信号を送信のための方法及び装置に関する。
【背景技術】
【０００２】
直交周波数分割多重（ＯＦＤＭ）は、サブキャリア（ＳＣ）間隔（ｓｕｂｃａｒｒｉｅｒ  ｓｐａｃｉｎｇ）及びシンボル長（ｓｙｍｂｏｌ  ｄｕｒａｔｉｏｎ）等のすべてのパラメータがシステム中で不変である場合は、マルチユーザの場面で望ましい特性を示す。将来のシステムにおいては、あるサービスタイプを提供するための各周波数リソースに対してヌメロロジー（ｎｕｍｅｒｏｌｏｇｙ）が最適化され得ることが予想される。それは、一つの固定されたヌメロロジーでは、異なる要件を有する多様なアプリケーションをサポートするには効率的ではないからである。ここでヌメロロジーとは、特にサブキャリア間の間隔を指し、又はシンボル長を指す場合もある。例えば、モビリティが低い場面に比べて、高いモビリティの場面におけるより高いドップラーシフトを打ち消すのには、より広いＳＣ間隔がより適している。
【０００３】
一つのシステムバンド内で異なるヌメロロジーが複数サポートされている場合は、ＯＦＤＭはもはや直交ではなく、高い帯域外輻射（ＯＯＢＥ）が、周波数領域における隣接リソースに重大な干渉を与える。複数のユーザ間のいわゆるガードバンドは干渉を低減し得るが、ＯＦＤＭのスペクトルに起因して、多数のガードバンドが必要となり、スペクトル効率を劇的に低減することになる。
従って、ＯＯＢＥを低減して隣接リソースへの干渉を低減するためにフィルタリングや窓処理のような追加の信号処理を適用した新しい無線波形が、ＯＦＤＭベースの波形の有望な候補として考えられている。
【０００４】
図１に、異なるユーザ及び／又は異なるサービスに対するリソース割当てを周波数領域で実行する送信機におけるＯＦＤＭベースの波形の概略図を示す。複数の送信機（非同期でも可）からの上りリンク送信信号が受信機で受信される場合、異なるサブバンドでは異なるヌメロロジー（ＳＣ間隔等）が用いられる。
【０００５】
ここで、ＳＣ間隔ｆｎが最小のＳＣ間隔ｆ０の２ｎ倍と定義する（すなわち、ｆｎ＝２ｎｆ０、ｎは正の整数）。つまり、ｆ０が最小のＳＣ間隔で、ｆ１＝２ｆ０、ｆ２＝２ｆ１、・・・ｆｎ＝２ｆｎ−１等となる。このことにより、すべてのＳＣ間隔の最小公倍数（ＬＣＭ）は最も大きなＳＣとなり、すべてのＳＣ間隔の最大公約数（ＧＣＤ）は最小のＳＣ間隔となる。このことにより、すべてのＳＣの中心周波数が（適切に配置されている場合は）最小ＳＣのグリッド上に配置される。
【０００６】
さらに、最小のスケジューリング単位である物理リソースブロック（ＰＲＢ）は、すべてのヌメロロジーにおいて同数のサブキャリアを含む場合を考える。一つのＰＲＢに対するサブキャリアの数は、例えば、１２又は１６であってもよく、又は他の数であってもよい。このこと及びＳＣ間隔の定義（ｆｎ＝２ｎｆ０）により、すべてのヌメロロジーの間のＰＲＢは入れ子関係になる。入れ子関係であることは、ＳＣ間隔ｆ０でｋ個の連続するＰＲＢが、ＳＣ間隔ｆ１でｋ／２個の連続するＰＲＢや、ＳＣ間隔ｆ２でｋ／４個の連続するＰＲＢ等と、同じ周波数領域をカバーすることを意味する。
【０００７】
図２に、異なるヌメロロジーの間のＰＲＢの入れ子関係の例を示す。このようなリソース間隔では、複数のヌメロロジーが、例えば時間領域又は周波数領域において、多重され、異なるヌメロロジーの複数のＰＲＢが、互いに固定されたグリッド上に配置される。ＰＲＢ毎のサブキャリアの数はすべてのヌメロロジーにおいて一定なので、ＰＲＢバンド幅はＳＣ間隔に比例する。つまり、ＳＣ間隔が二倍になるとＰＲＢバンド幅も二倍になる。このことから入れ子状態となる。
【０００８】
図３に、図２に基づいて、ｆ０から８ｆ０までの異なるＳＣ間隔でＳＣを配置する試みを示す。図３において、ＳＣ間隔がｆ０の場合のＰＲＢにおけるサブキャリアの数は６となっている。ＳＣ間隔ｆ０に対するリソースグリッドの一部が垂直の点線で示されている。同図において、「Ａ」を付した左端の垂直線は、ＳＣ間隔ｆ０のＲＢ１内の最も低い周波数のＳＣ中心周波数を示している。図３は、すべてのＳＣ間隔（すなわちヌメロロジー）におけるＲＢ１内の最も低い周波数のＳＣ中心周波数は、ＳＣ間隔ｆ０のそれと全く同じ周波数に位置することを示している。
【発明の概要】
【発明が解決しようとする課題】
【０００９】
図３における試みはわかりやすいものであるが、図４及び図５に示すような欠点がある。図４においては、ＳＣ間隔２ｆ０のＲＢ１内の右側において、最も右側のＳＣはＳＣ間隔ｆ０の最後から２番目のリソースグリッドにマッピングされ（「Ｂ」を付してある）、最後のグリッド（「Ｃ」を付してある）ではない。これは、ＳＣ間隔２ｆ０では、一つ置きのリソースグリッドだけがアクティブＳＣを伝搬しているからである。数学的には、左への偏りの理由は、６の倍数には２ｎの倍数（ＳＣ間隔ｆｎでのＰＲＢの単純なＳＣ間隔のサブキャリアの位置）ではないものがあるからである（同図における基本ＰＲＢの右端）。従って、ＳＣ間隔２ｆ０のＲＢ１に起因する隣接ＰＲＢ（例えばＳＣ間隔ｆ０のＲＢ３）の潜在的な干渉は、少しだけ左側、つまり低周波数側に偏っている。この偏りの傾向は、より広いＳＣ間隔の場合により顕著になる。そのことが図５に示されている。図５において、ＳＣ間隔４ｆ０の最も右側のＳＣは「Ｂ」を付したリソースグリッドにマッピングされており、左側、つまり低周波数側に、ＳＣ間隔ｆ０のＲＢ４のリソースグリッドＣ１、Ｃ２、Ｃ３を超えて、偏っている。
【００１０】
図６には、図３〜図５におけるＳＣ中心周波数と同じマッピングが異なる表現で示されている。図６においては、ＳＣ間隔ｆ０の一つのＰＲＢに１２個のサブキャリアが含まれていると仮定する。図６は、隣接ＰＲＢへの干渉が左側に強く偏っていることを示している。
本発明はこれら従来例の課題を解決しようしている。
【課題を解決するための手段】
【００１１】
一実施例における周波数リソースでマルチキャリア信号を送信する方法は、
ａ）前記周波数リソースは複数のリソースブロックに分割されており、
ｂ）前記リソースブロックは、サブキャリア間隔により等しく間隔があけられている複数のサブキャリアを含み、
ｃ）前記複数のサブキャリア又は前記サブキャリア間隔は、前記リソースブロック又は前記リソースブロックの連続したセットごとに設定可能であり、
ｄ）前記サブキャリア間隔ｆｎは、最小の設定可能なサブキャリア間隔ｆ０の２ｎ倍であり（ここで、ｎは負ではない整数）、
ｅ）前記サブキャリア間隔ｆｎの第１サブキャリアは、サブキャリア間隔ｆ０の第１サブキャリアに対してオフセット値だけずれており、
ｆ）前記オフセット値はｎに依存する、方法である。
【００１２】
この送信方法には、混合されたヌメロロジーのリソースブロックで、例えばリソースブロックの異なるサブキャリア間隔で、送信可能であり、その結果、例えば異なるモビリティによる様々なキャリア間干渉（ＩＣＩ）の増加を阻止するというような、様々な要請に応えることができるという利点がある。この方法では、近隣の物理リソースブロックにおけるサブキャリア間の干渉を制御するように、各リソースブロック内のサブキャリア中心がオフセット分だけずらされている。
【００１３】
一実施例において、前記サブキャリア間隔ｆｎの前記オフセット値は、
ｆｎ／２（ｎ＞０の場合）、
（ｆｎ−ｆ０）／２、
（ｆｎ−ｆ０）／２（ｎ＞０の場合）かつｆ０／２（ｎ＝０の場合）、又は
ｆｎ／２−ｆ０（ｎ＞０の場合）
の内の一つである。
【００１４】
これには、リソースブロックの周波数スペクトルの高周波側又は低周波側での近隣リソースブロックへの干渉が低減又は除去できるように、物理リソースブロック内のサブキャリア中心の位置をずらすことができるという効果がある。全般的に言えば、サブキャリア中心がずらされていない場合と比べて、低周波側又は高周波側での近隣リソースブロックへの干渉がより均等なものになり得る。従って、リソースグリッド空間全体に渡って偏りのない干渉が実現され、それによって、ブロックエラーレートが改善され、全体として送信効率か向上される。
【００１５】
一実施例において、サブキャリア間隔ｆｎのサブキャリア中心周波数とサブキャリア間隔ｆｎ＋１のサブキャリア中心周波数とは、ｆｎの整数倍だけずれている。
【００１６】
このことにより、物理リソースブロック内におけるサブキャリアの中心周波数が、受信機側での異なるヌメロロジーに対する処理が容易になり簡素化されるような、特定の位置にのみ配置されるという利点がある。
【００１７】
一実施例において、前記サブキャリア間隔ｆｎの前記オフセット値はそれぞれのｎで設定可能である。
このことにより、異なるヌメロロジーがサブキャリア中心に異なるオフセットを有することができ、そのことは、比較的簡単な構成を用いて、よりフレキシブルに信号を構成できることを意味する。近隣リソースブロックに割当てられたキャリア間の好ましくない干渉を避けるという効果は特に、各オフセットを設定する前に近隣リソースブロックのヌメロロジーが知られている場合に、より改善される。
【００１８】
一実施例において、前記サブキャリア間隔ｆｎの前記設定可能なオフセット値は、各ｎに対して予め決められた値のセットの中から選択される。
このことにより、オフセットの設定が複数の送信機及び受信機の間で知られるという利点がある。
【００１９】
一実施例において、前記サブキャリア間隔ｆｎの前記設定可能なオフセット値は、準静的又は動的にネットワークからＵＥへシグナリングされる。
このことにより、ユーザ、送信及びリソース割当てに関する情報のようなネットワークしか利用できない情報を考慮して、オフセットを設定できるという利点がある。
【００２０】
一実施例における周波数リソースでマルチキャリア信号を送信する方法は、
ａ）各スロットにおける前記送信される信号は、ＮＲＢ×ＮＳＣＲＢ個のサブキャリア及びＮｓｙｍｂ個のシンボルの１又は複数のリソースグリッドで表現され（ここで、ＮＳＣＲＢはリソースブロックごとのサブキャリア数を表し、ＮＲＢはサブキャリア間隔ｆ０に対するリソースブロック数を表す）、
ｂ）前記リソースグリッドの各エレメントは、リソースエレメントと呼ばれ、インデックスペア（ｋ、ｌ）によってユニークに特定でき（ここで、ｋ＝０、・・・ＮＲＢ×ＮＳＣＲＢ−１及び、ｌ＝０、・・・Ｎｓｙｍｂ−１は、それぞれ周波数領域及び時間領域のインデックスを示す）、
ｃ）サブキャリア間隔ｆｎの各リソースエレメントはインデックスペア（ｋ’、ｌ）によってユニークに特定できる（ここで、前記リソースグリッドｋのインデックスｋ’は、ｋ＝２ｎｋ’＋ｇｎとして、ｎに依存するオフセット値ｇｎと共に定義される）、方法である。
【００２１】
このことにより、異なるサブキャリア間隔のリソースエレメントを含むリソース空間の構造が、特定の異なるヌメロロジーにおけるそれらの構成及びオフセット値の構成が実現できるように、特定され得る。この方法は、スロット構造及び物理リソースエレメントを上記態様を用いて決定するように構成されているいかなる波形及びいかなる参照信号設計にも適用可能である。
【００２２】
一実施例において、前記サブキャリア間隔ｆｎの前記オフセット値は、ｇｎ＝２ｎ−１（ｎ＞０）又は、ｇｎ＝２ｎ−１−１（ｎ＞０）のいずれかである。
このことにより、リソースブロックの周波数スペクトルの高周波側又は低周波側における近隣リソースブロックへの干渉が低減され又は除去されるように、物理リソースブロック内のサブキャリアの中心の位置をずらすことができるという効果がある。また、オフセット値は効率的なやり方で表現され設定され得る。
【００２３】
一実施例における周波数リソースでマルチキャリア信号を送信する装置は、
ａ）前記周波数リソースは複数のリソースブロックに分割されており、
ｂ）前記リソースブロックは、サブキャリア間隔により等しく間隔があけられている複数のサブキャリアを含み、
ｃ）前記複数のサブキャリア又は前記サブキャリア間隔は、前記リソースブロック又は前記リソースブロックの連続したセットごとに設定可能であり、
ｄ）前記サブキャリア間隔ｆｎは、最小の設定可能なサブキャリア間隔ｆ０の２ｎ倍であり（ここで、ｎは負ではない整数）、
ｅ）前記サブキャリア間隔ｆｎの第１サブキャリアは、サブキャリア間隔ｆ０の第１サブキャリアに対してオフセット値だけずれており、
ｆ）前記オフセット値はｎに依存する、
装置である。
【００２４】
このことにより、本発明の実施例の利点を有する、信号を送信するための装置を実施することができる。
【００２５】
一実施例における装置は、本発明の実施例のうちの一つの方法を実行するモジュールをさらに具備するマルチキャリア信号を送信する装置である。
【００２６】
一実施例における周波数リソースで送信されるマルチキャリア信号は、
ａ）前記周波数リソースは複数のリソースブロックに分割されており、
ｂ）前記リソースブロックは、サブキャリア間隔により等しく間隔があけられている複数のサブキャリアを含み、
ｃ）前記複数のサブキャリア又は前記サブキャリア間隔は、前記リソースブロック又は前記リソースブロックの連続したセットごとに設定可能であり、
ｄ）前記サブキャリア間隔ｆｎは、最小の設定可能なサブキャリア間隔ｆ０の２ｎ倍であり（ここで、ｎは負ではない整数）、
ｅ）前記サブキャリア間隔ｆｎの第１サブキャリアは、サブキャリア間隔ｆ０の第１サブキャリアに対してオフセット値だけずれており、
ｆ）前記オフセット値はｎに依存する、
マルチキャリア信号である。
【００２７】
このような信号は、本発明の実施例で説明されている、近隣サブキャリア間での干渉を制御することに関する利点を有する。
【図面の簡単な説明】
【００２８】
【図１】送信機におけるＯＦＤＭベースの波形の概略図を示す。
【図２】異なるＳＣ間隔の間でのＰＲＢの入れ子関係の一例を示す。
【図３】異なるＳＣ間隔でＳＣをオフセットなしで配置する例を示す。
【図４】異なるＳＣ間隔でＳＣをオフセットなしで配置する例を示す。
【図５】異なるＳＣ間隔でＳＣをオフセットなしで配置する例を示す。
【図６】図３におけるＳＣ中心周波数と同じマッピングを異なる表現で示す。
【図７】オフセット値が（ｆｎ−ｆ０）／２の例を示す。
【図８】ｎ＞０に対してオフセット値がｆｎ／２の例を示す。
【図９】ｎ＞０に対してオフセット値がｆｎ／２−ｆ０の例を示す。
【図１０】ｎ＞０に対してオフセット値が（ｆｎ−ｆ０）／２及びｎ＝０に対してオフセット値がｆｎ／２の例を示す。
【図１１】ＳＣ中心周波数の入れ子マッピング示す。
【図１２】ＳＣ間隔が４ｆ０で２ｆ０オフセットの例を示す。
【図１３】ＳＣ間隔が２ｆ０及び４ｆ０でｆ０オフセットの例を示す。
【図１４】ＳＣ間隔が４ｆ０及び８ｆ０で２ｆ０オフセット値の例を示す。
【図１５】図１４と同じ場面で、８ｆ０の鏡映オフセット（ｍｉｒｒｏｒ  ｏｆｆｓｅｔ）を示す、８ｆ０及びｆ０のスペクトルの右端（高周波）を示す。
【図１６】ＳＣ間隔が８ｆ０でオフセット値が４ｆ０の例を示す。
【図１７】図１４（及び図１５）の鏡映（ｍｉｒｒｏｒｅｄ）バージョンを示す。
【図１８】図１６の鏡映バージョンを示す。
【図１９】リソースエレメントと共にリソースグリッドを示す。
【図２０】参照ヌメロロジーの不連続な領域インデックスを示す。
【発明を実施するための形態】
【００２９】
まず、本明細書で使用されるいくつかの単語について、以下の略語リストで定義する。
ＢＬＥＲ：ブロックエラーレート（ブロック誤り率）
ＦＦＴ：高速フーリエ変換
ＧＣＤ：最大公約数
ＩＣＩ：キャリア間干渉
ＬＣＭ：最小公倍数
ＯＦＤＭ：直交周波数分割多重
ＰＲＢ：物理リソースブロック
ＲＥ：リソースエレメント
ＳＣ：サブキャリア
【００３０】
上述の通り、従来技術においては、近隣ＲＢへの偏った干渉に関する欠点がある。
本発明の一実施例においては、ＳＣ間隔ｆｎの第１サブキャリア（すなわち、同じＰＲＢ内のＳＣの中で最も低い中心周波数を有するＳＣ）が、ＳＣ間隔ｆ０の第１サブキャリアからオフセット値だけシフトされるように、各ＳＣ間隔に周波数オフセットを導入することを提案する。
【００３１】
図７に、各ＳＣ間隔ｆｎに対するオフセット値が（ｆｎ−ｆ０）／２の場合の例を示す。このようにすると、すべてのＳＣ間隔の各ＰＲＢ内におけるすべてのサブキャリアが対称的に配置される。それは、ＳＣ間隔ｆｎ＋１のサブキャリア中心が、ＳＣ間隔ｆｎのサブキャリアの各サブキャリア中心の間の中央に位置する周波数を有することを意味する。これにより、近隣ＰＲＢに対する不均等な干渉の状態を完全に避けることができる、近隣ＰＲＢにおいて偏りのないＢＬＥＲ性能が期待できる。しかし、この方法の一つの短所は、ｎ＞０のＳＣ間隔のＳＣ中心周波数が、図７に示すように、基本サブキャリア間隔ｆ０のリソースグリッドに対してｆ０／２だけずれる可能性があることである。このようなずれにより、受信機側の処理が複雑になり非効率になる可能性がある。受信機側の処理が、異なるＳＣ間隔に対して複数回の高速フーリエ変（ＦＦＴ）を実施する必要がなく、１回のＦＦＴのみで効率的に実行できるようにするためには、オーバーサンプリング係数を高くする（基本サブキャリア間隔ｆ０のサンプリングレートを２倍にする）必要があり、それはより複雑になる可能性がある。従って、受信機側の処理を効率良くするには、異なるＳＣ間隔のＳＣ中心周波数を揃える必要がある。
【００３２】
図８に、ｎ＞０に対してオフセット値がｆｎ／２とする場合の例を示す。この場合、ＳＣ間隔がｎ＞０のすべてのＳＣが高周波側に少しずれる。図７と異なり、すべてのＳＣ間隔のＳＣ中心周波数が基本サブキャリア間隔ｆ０のリソースグリッドに揃っており、受信機処理が効率的になるという利点がある。
【００３３】
以下に示すその他の実施例においては、すべてのＳＣ間隔のＳＣ中心周波数が基本サブキャリア間隔ｆ０のリソースグリッドに揃っていることを前提とする。
【００３４】
図９に、ｎ＞０に対してオフセット値がｆｎ／２−ｆ０とする場合の例を示す。これは、図８の例について、ＳＣ間隔がｎ＞０のすべてのＳＣを低周波側に少しずらした例となる。図８の例からずらした量は、基本ＳＣ間隔ｆ０に等しい量である。
【００３５】
図１０に、ｎ＞０に対してオフセット値が（ｆｎ−ｆ０）／２で、ｎ＝０に対してはオフセット値がｆ０／２とする場合の例を示す。この場合、基本ＳＣ間隔ｆ０のＳＣだけが高周波数側に少しずれる。この場合では、ｆ０サブキャリアもオフセットｆ０／２だけずらされている。このような基準ＳＣ配置のずれはコンパチビリティの理由から望ましくない。そのため、本発明の他の実施例においては、基準ＳＣ配置（つまりＳＣ間隔ｆ０）はずらされていない。
以下において、すべてのＳＣ間隔の中心周波数が揃っている、入れ子状態のものについて説明する。
【００３６】
図１１に、ＳＣ中心周波数の入れ子状態マッピングの例を示す。すなわち、サブキャリアは、周波数領域において入れ子になるように、基本ＳＣ間隔ｆ０のサブキャリア間隔のサブキャリアの下位セット／上位セットにマッピングされている。つまり、ＳＣ間隔ｆｎのＳＣ中心周波数とＳＣ間隔ｆｎ＋１のＳＣの中心周波数は、ｆｎの整数倍だけずれている。
【００３７】
一実施例において、ＳＣ間隔ｆｎに対するオフセット値は、すべてのＳＣ間隔のＳＣ中心周波数の入れ子マッピングを満足しつつ、干渉の左右のバランスを取るように選択される。
【００３８】
図１２に、４ｆ０までのＳＣ間隔が一つのシステムバンドにおいてサポートされている場合の４ｆ０のＳＣ間隔に対する２ｆ０オフセット値の例を示す。図６に示すような全くオフセットがない場合と異なって、すべてのＳＣ間隔で入れ子状態のＳＣ中心周波数を満足しつつ、左右の近隣ＰＲＢへの干渉がより均等になっている。
【００３９】
図１３に、４ｆ０までのＳＣ間隔が一つのシステムバンドにおいてサポートされている場合の２ｆ０及び４ｆ０のＳＣ間隔に対するｆ０オフセット値の例を示す。これは、図１２に示す例の単なる鏡映になっている。ここで、鏡映とは、図１３のアクティブＳＣの中心周波数の配置が、周波数軸上に鏡を置いた場合に図１２のアクティブＳＣの中心周波数の配置と一致することを言う。従って、図１２において低周波数側にある量の偏りがあった場合、図１３において同じ量の偏りが高周波数側にあることになる。
【００４０】
図１４、１５、１６及び１７に、８ｆ０までのＳＣ間隔が一つのシステムバンドにおいてサポートされている場合の、いくつかのオフセット値の例を示す。
【００４１】
図１４では、４ｆ０及び８ｆ０のＳＣ間隔に対して２ｆ０オフセット値を採用している。図４、５及び６に示すようなオフセット値を採用していない場合と比較すると、より均等な干渉状態になっているのがわかる。８ｆ０ＳＣ間隔の周波数スペクトルの高周波側の詳細が図１４には示されていないが、その部分は図１５に詳細に示されている。図１５にはｆ０ＳＣ間隔及び８ｆ０ＳＣ間隔のみが示されている。オフセットに加えて、各ＳＣ間隔ｆｎに対して鏡映オフセットも図１４に示されている。この場合、鏡映オフセットは、ｆｎＳＣ間隔における最後の（最も高周波側の）サブキャリア中心と間隔ｆｎでのＰＲＢの周波数範囲に入れ子になっているｆ０ＳＣ間隔の最後の物理リソースブロックにおける最後の（最も高周波側の）サブキャリア中心との間の間隔である。この間隔は、整数／モジュロ演算、基準サブキャリアバンド幅ｆ０、及びリソースブロックごとのサブキャリアの数に基づいて定義できる。従って、鏡映の場合、鏡映オフセットがオフセットになり、逆も言える。
【００４２】
図１６に、８ｆ０のＳＣ間隔に対しては４ｆ０のオフセット値であって、他のＳＣ間隔に対してはオフセットがない場合の例を示す。図１４と比較して、ＳＣ間隔４ｆ０による干渉がより偏っているが、ＳＣ間隔８ｆ０に対してはより均等な干渉が達成されている。例えば図４及び５にあるとおり、広いＳＣ間隔において近隣ＰＲＢへの干渉がより強いことを考慮すると、図１６のオフセット値は図１４における場合より重大な干渉とはならない。図１６の場合における８ｆ０ＳＣ間隔の周波数スペクトルの高周波側の端部を示す図がないが、この場合の８ｆ０ＳＣ間隔の鏡映オフセットも、図１４の場合の鏡映オフセットについて図１５に示して上述したのと同様に、得ることができる。
【００４３】
図１７及び１８はそれぞれ、図１４及び１６に示した場合の鏡映（ｍｉｒｒｏｒｅｄ）バージョンになっている。
【００４４】
一実施例において、ＳＣ間隔ｆｎのオフセット値は各ｎに対して設定され得、設定可能なオフセット値はネットワークからユーザ装置に準静的又は動的にシグナリングされる。この場合、ネットワークが、リソース使用にフレキシブルに順応することにより、適切なオフセット値を選択できるという利点がある。
従って、オフセット値及びそれらの計算は、上述した通り、異なるユーザ及び／又は異なるサービスに対して異なるものになり得る。
【００４５】
一例として、あるＰＲＢ又は連続した複数のＰＲＢの左側（低周波側）又は右側（高周波側）に既に割り当てられたリソースがある場合、ネットワークはそのＰＲＢ又は連続した複数のＰＲＢのオフセット値を選択してシグナリングでき、リソースがすでに割り当てられた側の干渉が低減される。極端な例としては、あるユーザ又はサービスにすでに割当てられたリソースが右側（高周波側）にあり、左側（低周波側）には無い場合に、図４、５及び６に示されるように、オフセット値無しが選択され得る。一方、すでに割当てられたリソースが左側（低周波側）にあり、右側（高周波側）には無い場合には、干渉の右側（高周波側）への偏りが強くなる、０ではないオフセット値が、図４、５及び６に示されるようなオフセット値無しの場合より適切な選択として、選択され得る。
【００４６】
一実施例において、ＳＣ間隔ｆｎに設定され得るオフセット値は、各ｎに対する予め決めらえた値のセットから選択される。量子化されたインデックスがその予め決められたセットに定義され、効率的なシグナリングに利用され得る。
【００４７】
ここまで、異なるヌメロロジーに対するオフセット値がｆ０又はｆｎによって決定されてきた。これ以降は、異なるヌメロロジーに対するオフセット値の他の表現方法又は特定方法について述べる。
【００４８】
一実施例において、オフセット値はＳＣ間隔ｆ０のリソースグリッドに基づいて決定され得る。このようなリソースグリッドの例は図１９に示されている。より具体的には、所定の時間スロットで送信されるマルチキャリア信号が、ＮＲＢ×ＮＳＣＲＢ個のＳＣ及びＮｓｙｍｂ個のシンボルにより描かれている。ここで、ＮＳＣＲＢは物理リソースブロック毎のＳＣの数を示し、ＮＲＢがＳＣ間隔ｆ０に対するＰＲＢの数を示す。リソースグリッドの各エレメントは、リソースエレメント（ＲＥ）と呼ばれ、インデックスペア（ｋ、ｌ）によりユニークに特定される。ｋ＝０、・・・ＮＲＢ×ＮＳＣＲＢ−１及び、ｌ＝０、・・・Ｎｓｙｍｂ−１は、それぞれ周波数領域及び時間領域におけるインデックスである。
【００４９】
ｎ＞０の異なるＳＣ間隔ｆｎに対し、周波数領域インデックスｋがｋ’に変更され、その結果、ＳＣ間隔ｆｎのリソースグリッド内の各ＲＥがインデックスペア（ｋ’、ｌ）によりユニークに特定されるようになる。ここで、リソースグリッドｋのインデックスｋ’（参照ヌメロロジーのインデックス）は、ｋ＝２ｎｋ’＋ｇｎとして、ｎに依存するオフセット値ｇｎと共に定義される。
【００５０】
図２０に、ヌメロロジーｎ＝１及びｎ＝２の場合のｋとｋ’との関係を示す。第１の例ではオフセット値ｇｎはｇｎ＝２ｎ−１（ｎ＞０）であり、ｎ＝１及びｎ＝２の場合、それぞれｇｎ＝１及びｇｎ＝２となる。これら二つのケースにおけるＳＣ中心周波数の位置が図２０の異なる網掛けで示されている。図２０から、この第１の例が図８に示されている例と同じである（つまりＳＣ中心周波数が同じである）ことがわかる。図８では、オフセットはｆｎ／２（ｎ＞０）としてｎにより特定されている。
【００５１】
第２の例においては、ＳＣ中心周波数の他の間隔がオフセット値ｇｎ＝２ｎ−１−１（ｎ＞０）で与えられる。これより、ｎ＝１及びｎ＝２の場合、それぞれｇｎ＝０及びｇｎ＝１となる。これら二つのケースにおけるＳＣ中心周波数の位置が図２０の異なる網掛けで示されている。図２０から、この第２の例が図９に示されている例と同じである（つまりＳＣ中心周波数が同じである）ことがわかる。図９では、オフセットはｆｎ／２−ｆ０（ｎ＞０）としてｎにより特定されている。
【００５２】
設定可能な最小のサブキャリア間隔ｆ０の代りに、周波数領域インデックスｇｎで表されるオフセット値の特定が、図８及び９に対して示されている。同様に、異なるＲＢ分割のオフセットが、図１９で上述されて図２０で例示されているように、リソースグリッドの周波数領域におけるインデックスの構成で表されている。
【００５３】
本発明はＬＴＥ設計における専門用語及び概念を採用して記載されている。当業者であれば、本発明が複数の異なるヌメロロジーによるいかなるマルチキャリア信号の設計にも適用できることが明らかである。本発明は、例えば、下りリンク、上りリンク又はサイドリンク等の異なるリンクに適用可能である。
【００５４】
当業者であれば、本発明の実施例がソフトウエア、ハードウエア又はそれらの組合せにより実行できることは理解できるであろう。本発明の実施例における装置又はモジュールにおいては、これらが適切なコンピュータプログラムで制御されるマイクロプロセッサ（例えばデジタルシグナルプロセッサ等）で実行できることは、当業者であれば理解できるであろう。
【図１】
2018531539.tif 000003
【図２】
2018531539.tif 000004
【図３】
2018531539.tif 000005
【図４】
2018531539.tif 000006
【図５】
2018531539.tif 000007
【図６】
2018531539.tif 000008
【図７】
2018531539.tif 000009
【図８】
2018531539.tif 000010
【図９】
2018531539.tif 000011
【図１０】
2018531539.tif 000012
【図１１】
2018531539.tif 000013
【図１２】
2018531539.tif 000014
【図１３】
2018531539.tif 000015
【図１４】
2018531539.tif 000016
【図１５】
2018531539.tif 000017
【図１６】
2018531539.tif 000018
【図１７】
2018531539.tif 000019
【図１８】
2018531539.tif 000020
【図１９】
2018531539.tif 000021
【図２０】
2018531539.tif 000022
【国際調査報告】
2018531539.tif 000023